【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
複数の撮像装置の設置状態の候補である候補状態を取得する取得部と、
前記候補状態を提示する制御を行う制御部と、を備える、情報処理装置。
【請求項２】
前記制御部は、前記撮像装置の現在の設置状態と、前記候補状態とを提示する制御を行う、請求項１記載の情報処理装置。
【請求項３】
前記制御部は、前記現在の設置状態のうち、前記候補状態に一致した設置状態と前記候補状態と異なる設置状態とを異なる態様で提示する制御を行う、請求項２記載の情報処理装置。
【請求項４】
前記制御部は、前記撮像装置の設置位置及び設置姿勢のうち、少なくとも１つの候補を提示する制御を行う、請求項１〜３のいずれか１項に記載の情報処理装置。
【請求項５】
前記制御部は、前記撮像装置の画角を提示する制御を行う、請求項１〜４のいずれか１項に記載の情報処理装置。
【請求項６】
前記制御部は、前記撮像装置が撮像した撮像画像と前記候補状態とを提示する制御を行う、請求項１〜５のいずれか１項に記載の情報処理装置。
【請求項７】
前記制御部は、前記撮像装置の現在の設置状態を前記候補状態に一致させるための調整内容を提示することで、前記候補状態を提示する、請求項１〜６のいずれか１項に記載の情報処理装置。
【請求項８】
前記制御部は、前記情報処理装置の現在の設置状態と、前記候補状態とを提示する制御を行う、請求項１〜７のいずれか１項に記載の情報処理装置。
【請求項９】
前記制御部は、前記情報処理装置の現在の設置状態に応じた態様で前記候補状態を提示する制御を行う、請求項１〜８のいずれか１項に記載の情報処理装置。
【請求項１０】
前記制御部は、表示面に表示される前記撮像装置の画像に前記候補状態を重畳して表示する制御を行う、請求項１〜９のいずれか１項に記載の情報処理装置。
【請求項１１】
前記制御部は、前記候補状態の提示態様を切り替え可能である、請求項１〜１０のいずれか１項に記載の情報処理装置。
【請求項１２】
前記取得部は、前記撮像装置の現在の設置状態に基づいて、前記候補状態を算出する、請求項１〜１１のいずれか１項に記載の情報処理装置。
【請求項１３】
前記取得部は、前記撮像装置の現在の設置状態に基づいて、複数の撮像装置のフォーメーションの候補となる候補フォーメーションを決定し、前記候補フォーメーションにもとづいて、前記候補状態を算出する、請求項１２記載の情報処理装置。
【請求項１４】
複数の撮像装置が設置される状態の候補である候補状態を取得する取得部と、
前記候補状態を提示する制御を行う制御部と、を備える、撮像装置。
【請求項１５】
複数の撮像装置の設置状態の候補である候補状態を取得することと、
前記候補状態を提示する制御を行うことと、を含む、表示制御方法。
【請求項１６】
コンピュータに、
複数の撮像装置の設置状態の候補である候補状態を取得する取得機能と、
前記候補状態を提示する制御を行う制御機能と、を実現させる、プログラム。
【手続補正２】
【補正対象書類名】明細書
【補正対象項目名】００３０
【補正方法】変更
【補正の内容】
【００３０】
音声処理回路２１０は、音声情報に各種の処理を施す。ＲＡＭ２１１は、ＣＰＵ２１３による作業領域として使用される。各種センサ２１２には、撮像装置２０の現在の設置状態を算出するためのセンサ情報を生成するセンサが含まれる。具体的には、各種センサ２１２には、測距センサ、ＧＰＳセンサ、赤外線センサ、及びジャイロセンサ等が含まれる。これらのセンサ情報はＣＰＵ２１３に与えられる。ＣＰＵ２１３は、メディア等に記憶されるプログラムを読みだして実行する。ＧＰＵ２１４は、ＣＰＵ２１３と同様に、メディア等に記憶されるプログラムを読みだして実行することで、画像の生成、表示等を行う。メディア２１５は、各種の記録媒体（ＲＯＭ、外部記憶媒体等）であり、例えば撮像装置２０に撮像部３１、通信部３２、提示部３３、位置検出部３４、及び撮像側制御部３５を実現させるためのプログラムを記憶する。バス２１６は、各ハードウェア構成同士を電気的に連結する。以下の説明では、複数の撮像装置２０の各々を区別するために、撮像装置２１〜２９とも称する。
【手続補正３】
【補正対象書類名】明細書
【補正対象項目名】０１０５
【補正方法】変更
【補正の内容】
【０１０５】
すなわち、提示側制御部１４は、例えば図２７に示すように、撮像装置２１〜２３の現在の設置状態を示す立体画像２０ｊ−１〜２０ｊ−３と、撮像装置２１〜２３の候補状態を示す立体画像２０ｋとを重畳表示する。提示側制御部１４は、立体画像２０ｋを立体画像２０ｊ−１〜２０ｊ−３と異なる態様で表示することが好ましい。
【手続補正４】
【補正対象書類名】明細書
【補正対象項目名】０１０６
【補正方法】変更
【補正の内容】
【０１０６】
提示側制御部１４は、ユーザが視点変更操作を行った場合には、例えば図２８に示すように、仮想空間内の立体画像を変更後の視点から表示する。図２８に示す例では、提示側制御部１４は、撮像装置２４〜２６の現在の設置状態を示す立体画像２０ｊ−４〜２０ｊ−６と、撮像装置２４〜２６の候補状態を示す立体画像２０ｋとを重畳表示する。このように、提示側制御部１４は、異なる視点から見た立体画像をシームレスに表示することができる。また、立体画像は平面的な画像（平面画像、正面画像、背面画像等）よりも多様な設置状態を表現できる。すなわち、立体画像は、設置位置、設置姿勢を両方表現することができる。したがって、ユーザは、これらの撮像装置２０の候補状態を容易に把握することができる。
【手続補正５】
【補正対象書類名】明細書
【補正対象項目名】０１０８
【補正方法】変更
【補正の内容】
【０１０８】
具体的な表示例は、上述した例と同様である。例えば、図２７に示す例では、ユーザは、撮像装置２１〜２３を撮像しており、設置状態提示用撮像画像には撮像装置２１〜２３の現在の設置状態を示す立体画像２０ｊ−１〜２０ｊ−３が描かれている。さらに、この設置状態提示用撮像画像には、撮像装置２１〜２３の候補状態を示す立体画像２０ｋが重畳表示されている。提示側制御部１４は、立体画像２０ｋを立体画像２０ｊ−１〜２０ｊ−３と異なる態様で表示することが好ましい。
【手続補正６】
【補正対象書類名】明細書
【補正対象項目名】０１０９
【補正方法】変更
【補正の内容】
【０１０９】
一方、図２８に示す例では、ユーザは、撮像装置２４〜２６を撮像しており、設置状態提示用撮像画像には撮像装置２４〜２６の立体画像２０ｊ−４〜２０ｊ−６が描かれている。さらに、この設置状態提示用撮像画像には、撮像装置２４〜２６の候補状態を示す立体画像２０ｋが重畳表示されている。立体画像は平面的な画像（平面画像、正面画像、背面画像等）よりも多様な設置状態を表現できる。すなわち、立体画像は、設置位置、設置姿勢を両方表現することができる。したがって、ユーザは、所望の撮像装置２０を撮像することで、これらの撮像装置２０の候補状態を容易に把握することができる。
【手続補正７】
【補正対象書類名】図面
【補正対象項目名】図２
【補正方法】変更
【補正の内容】
【図２】
2014241496.tif 000001
【手続補正８】
【補正対象書類名】図面
【補正対象項目名】図１１
【補正方法】変更
【補正の内容】
【図１１】
2014241496.tif 000002